【手続補正書】
【提出日】平成28年7月21日(2016.7.21)
【手続補正１】
【補正対象書類名】特許請求の範囲
【補正対象項目名】全文
【補正方法】変更
【補正の内容】
【特許請求の範囲】
【請求項１】
装置であって、
アンテナに接続された複数の第１のステージスイッチと、および、
前記複数の第１のステージスイッチに接続された複数の第２のステージスイッチと、各第１のステージスイッチは、前記アンテナに接続された複数の切り替え可能な信号パスを形成するために１つ以上の第２のステージスイッチに直列に接続され、前記複数の切り替え可能な信号パスは、選択された第２のステージスイッチに接続された選択された第１のステージスイッチより低いブレイクダウン電圧を有する前記選択された第２のステージスイッチを含む少なくとも１つの低い電力信号パスを有する、
を備える、装置。
【請求項２】
前記複数の切り替え可能な信号パスは、１つ以上の静電容量値を有する１つ以上の接続されていない信号パスを備え、それぞれ、前記１つ以上の静電容量値は、前記装置の全てのオフ‐状態の静電容量を形成するために結合する、請求項１に記載の装置。
【請求項３】
前記第１のおよび第２のステージスイッチと連結するスイッチ制御信号を生成するように構成されたコントローラをさらに備え、前記スイッチ制御信号は、選択された切り替え可能な信号パスを有効または無効にするためのいずれかの前記第１のおよび第２のステージスイッチをオープンまたはクローズするように構成される、請求項１に記載の装置。
【請求項４】
前記コントローラは、受信されたアンテナ制御信号から前記スイッチ制御信号を生成するように構成される、請求項３に記載の装置。
【請求項５】
前記第１のおよび第２のステージスイッチは、ＰＭＯＳおよびＮＭＯＳトランジスタを備えるセットから選択された１つ以上のトランジスタを含む統合スイッチとして構成される、請求項１に記載の装置。
【請求項６】
前記複数の第１のステージスイッチは、２つの第２のステージスイッチグループに直列に接続された２つの第１のステージスイッチを含み、それぞれ、各第２のステージスイッチグループは、選択された一部の前記第２のステージスイッチを有する、請求項１に記載の装置。
【請求項７】
前記装置の全てのオフ‐状態の静電容量は、前記装置の複数のスイッチブランチに関連する静電容量値の並列静電容量の組み合わせから決定され、各スイッチブランチは、１つ以上の第２のステージスイッチに直列に接続された選択された第１のステージスイッチを有する、請求項１に記載の装置。
【請求項８】
方法であって、
第１のステージスイッチ制御信号および第２のステージスイッチ制御信号を生成することと、
前記第１のステージスイッチ制御信号を使用してアンテナに接続された複数の第１のステージスイッチを切り替えることと、および、
前記第２のステージスイッチ制御信号を使用して前記複数の第１のステージスイッチに接続された複数の第２のステージスイッチを切り替えることと、各第１のステージスイッチは、前記アンテナに接続された複数の切り替え可能な信号パスを形成するために１つ以上の第２のステージスイッチに直列に接続され、
ここにおいて、前記切り替えることは、選択された第２のステージスイッチに接続された選択された第１のステージスイッチより低いブレイクダウン電圧を有する前記選択された第２のステージスイッチを含む少なくとも１つの低い電力信号パスを有効にするために前記複数の第１のおよび第２のステージスイッチを切り替えることを備える、
を備える方法。
【請求項９】
前記生成することは、アンテナ制御信号から前記第１のステージスイッチ制御信号および前記第２のステージスイッチ制御信号を生成することを備える、請求項８に記載の方法。
【請求項１０】
１つ以上の静電容量値を有する１つ以上の接続されていない信号パスを形成するために前記複数の第１のおよび第２のステージスイッチを切り替えることをさらに備え、それぞれ、前記１つ以上の静電容量値は、前記複数の第１のおよび第２のステージスイッチに関連する全てのオフ‐状態の静電容量を形成するために結合する、請求項８に記載の方法。
【手続補正２】
【補正対象書類名】明細書
【補正対象項目名】００３９
【補正方法】変更
【補正の内容】
【００３９】
[0044]  開示された例示的な実施形態の説明は、いかなる当業者であっても本発明を製造または使用することを可能にするように提供される。これらの例示的な実施形態への多様な修正は、当業者に容易に明確であることとなり、ここに定義された一般的な原理は、本発明の趣旨または範囲から逸脱することなく、他の実施形態に適用され得る。従って、本発明は、ここに示された例示的な実施形態に限定されることは意図されず、ここに開示された原理および新規の特徴と一致する最も広い範囲を認められるべきである。
以下に、本願出願の当初の特許請求の範囲に記載された発明を付記する。
[Ｃ１]
装置であって、
アンテナに接続された複数の第１のステージスイッチと、および、
前記複数の第１のステージスイッチに接続された複数の第２のステージスイッチと、各第１のステージスイッチは、前記アンテナに接続された複数の切り替え可能な信号パスを形成するために１つ以上の第２のステージスイッチに直列に接続される、
を備える、上記装置。
[Ｃ２]
前記複数の切り替え可能な信号パスは、選択された第２のステージスイッチに接続された選択された第１のステージスイッチより低いブレイクダウン電圧を有する前記選択された第２のステージスイッチを含む少なくとも１つの低い電力信号パスを有する、Ｃ１に記載の装置。
[Ｃ３]
前記複数の切り替え可能な信号パスは、１つ以上の静電容量値を有する１つ以上の接続されていない信号パスを備え、それぞれ、前記１つ以上の静電容量値は、前記装置の全てのオフ‐状態の静電容量を形成するために結合する、Ｃ１に記載の装置。
[Ｃ４]
前記第１のおよび第２のステージスイッチと連結するスイッチ制御信号を生成するように構成されたコントローラをさらに備え、前記スイッチ制御信号は、選択された切り替え可能な信号パスを有効または無効にするためのいずれかの前記第１のおよび第２のステージスイッチをオープンまたはクローズするように構成される、Ｃ１に記載の装置。
[Ｃ５]
前記コントローラは、受信されたアンテナ制御信号から前記スイッチ制御信号を生成するように構成される、Ｃ４に記載の装置。
[Ｃ６]
前記第１のおよび第２のステージスイッチは、ＰＭＯＳおよびＮＭＯＳトランジスタを備えるセットから選択された１つ以上のトランジスタを含む統合スイッチとして構成される、Ｃ１に記載の装置。
[Ｃ７]
前記複数の第１のステージスイッチは、２つの第２のステージスイッチグループに直列に接続された２つの第１のステージスイッチを含み、それぞれ、各第２のステージスイッチグループは、選択された一部の前記第２のステージスイッチを有する、Ｃ１に記載の装置。
[Ｃ８]
前記装置の全てのオフ‐状態の静電容量は、前記装置の複数のスイッチブランチに関連する静電容量値の並列静電容量の組み合わせから決定され、各スイッチブランチは、１つ以上の第２のステージスイッチに直列に接続された選択された第１のステージスイッチを有する、Ｃ１に記載の装置。
[Ｃ９]
方法であって、
第１のステージスイッチ制御信号および第２のステージスイッチ制御信号を生成することと、
前記第１のステージスイッチ制御信号を使用してアンテナに接続された複数の第１のステージスイッチを切り替えることと、および、
前記第２のステージスイッチ制御信号を使用して前記複数の第１のステージスイッチに接続された複数の第２のステージスイッチを切り替えることと、各第１のステージスイッチは、前記アンテナに接続された複数の切り替え可能な信号パスを形成するために１つ以上の第２のステージスイッチに直列に接続される、
を備える、上記方法。
[Ｃ１０]
前記生成することは、アンテナ制御信号から前記第１のステージスイッチ制御信号および前記第２のステージスイッチ制御信号を生成することを備える、Ｃ９に記載の方法。
[Ｃ１１]
選択された第２のステージスイッチに接続された選択された第１のステージスイッチより低いブレイクダウン電圧を有する前記選択された第２のステージスイッチを含む少なくとも１つの低い電力信号パスを有効にするために前記複数の第１のおよび第２のステージスイッチを切り替えることをさらに備える、Ｃ９に記載の方法。
[Ｃ１２]
１つ以上の静電容量値を有する１つ以上の接続されていない信号パスを形成するために前記複数の第１のおよび第２のステージスイッチを切り替えることをさらに備え、それぞれ、前記１つ以上の静電容量値は、前記複数の第１のおよび第２のステージスイッチに関連する全てのオフ‐状態の静電容量を形成するために結合する、Ｃ９に記載の方法。
[Ｃ１３]
装置であって、
第１のステージスイッチ制御信号および第２のステージスイッチ制御信号を生成するための手段と、
前記第１のステージスイッチ制御信号を使用してアンテナに接続された複数の第１のステージスイッチを切り替えるための手段と、および、
前記第２のステージスイッチ制御信号を使用して前記複数の第１のステージスイッチに接続された複数の第２のステージスイッチを切り替えるための手段と、各第１のステージスイッチは、前記アンテナに接続された複数の切り替え可能な信号パスを形成するために１つ以上の第２のステージスイッチに直列に接続される、
を備える、上記装置。
[Ｃ１４]
生成するための前記手段は、アンテナ制御信号から前記第１のステージスイッチ制御信号および前記第２のステージスイッチ制御信号を生成するための手段を備える、Ｃ１３に記載の装置。
[Ｃ１５]
選択された第２のステージスイッチに接続された選択された第１のステージスイッチより低いブレイクダウン電圧を有する前記選択された第２のステージスイッチを含む少なくとも１つの低い電力信号パスを有効にするために前記複数の第１のおよび第２のステージスイッチを切り替えるための手段をさらに備える、Ｃ第１３に記載の装置。
[Ｃ１６]
１つ以上の静電容量値を有する１つ以上の接続されていない信号パスを形成するために前記複数の第１のおよび第２のステージスイッチを切り替えるための手段をさらに備え、それぞれ、前記１つ以上の静電容量値は、前記装置の全てのオフ‐状態の静電容量を形成するために結合する、Ｃ１３に記載の装置。
[Ｃ１７]
前記第１のおよび第２のステージスイッチは、ＰＭＯＳおよびＮＭＯＳトランジスタを備えるセットから選択された１つ以上のトランジスタを含む統合スイッチとして構成される、Ｃ１３に記載の装置。